(57)【特許請求の範囲】
【請求項１】
扉の自由側端縁付近において扉面とほぼ平行で鉛直方向に延在するハンドルの一端を、ラッチボルトを支持する錠箱に見付け方向において重合するように配設すると共に、ハンドルの一端部を扉面に装着された中空の第１支持座に、他端部を第２支持座に、夫々ハンドル全体が鉛直方向に移動できるように支持、案内し、一方、ハンドルの一端の扉面に対向する部分に扉面に垂直な作動片を固定し、この作動片を扉面に装着された第１支持座、扉面及び錠箱の側面を貫通させて錠箱内のラッチボルト操作機構に連係させると共に、ハンドル全体を上方又は下方に付勢し、扉開閉時、ハンドルを下方又は上方に動かすことにより、ハンドルの一端に固定された作動片を介して錠箱内のラッチボルトを制御するようにしたことを特徴とする扉のハンドル装置。
【発明の詳細な説明】
【０００１】
【発明の属する技術分野】
この発明は、扉のハンドル装置に係り、特に、使い勝手が良く、しかも構造が簡単な扉のハンドル装置に関する。
【０００２】
【従来の技術】
本出願人等は、先に、例えば特願平７−８８７８３号、特願平７−９７７８６号、特願平８−１４０８８４号、或いは特願平９−２００９８９号を以て、新規な扉のハンドル装置を提案した。
【０００３】
これらの扉のハンドル装置は、何れも、ハンドルを扉の見込み方向、すなわち扉面に垂直な方向において扉に対して相対的に移動可能に案内し、扉を開け閉めするときハンドルの扉面に対する相対運動を利用してラッチボルトを錠箱内に引込ませるように構成されている。
【０００４】
したがって、例えば室内から室外に出るとき扉を外側に開く扉では、ハンドルを扉に近接する方向に押動することによりラッチボルトを錠箱内に引込ませるので、室外に出るときハンドルを握ってこれを室外側に押動することにより、ラッチボルトの引込み操作及び開扉操作を同じ方向の一操作でできるという利点がある。
【０００５】
この扉を外側から操作するときには、室外側のハンドルを引くことによりラッチボルトを錠箱内に引込ませて開扉し、入室後室内側のハンドルを引いて扉を閉めるが、室内側のハンドルを引くときにはラッチボルトを操作しない。
【０００６】
この場合には、従来のものと同様に、ラッチボルトの外端の斜面とストライクとの係合によって生じる楔作用によりラッチボルトは自動的に錠箱内に引込み、扉が完全に閉ったとき、ラッチボルトがラッチボルトばねの弾力によりフロント板から突出し、ストライク板のラッチボルト孔に自動的に投入される。
【０００７】
【発明が解決しようとする課題】
上記した構造の扉のハンドル装置は、ハンドルを握った手の一方向の一動作でラッチボルトの操作と扉の開閉操作を連続して行うことができる、という利点はあるものの、ハンドルが扉に対して相対的に移動可能であるため、扉の開閉操作に心理的に少し違和感がある、という恨みが残る。
【０００８】
すなわち、通常の扉の外部操作部材、例えばノブ、レバー或いはハンドルは扉面に固定されており、かつ住人はそれに慣れているので、ハンドルが見込み方向に可動である、換言すればぐらぐらしているのは、例えそれがラッチボルトを錠箱内に引込ませるために必要であっても、心理的に或いは人間工学的に少し抵抗がある。
【０００９】
また、通常ハンドルを扉面に平行な状態で見込み方向に移動可能に案内するため、ハンドルをリンク機構で支持する場合が多く、したがって構造が複雑になる、という不都合がある。
【００１０】
更にまた、ハンドルを扉に対し相対的に移動させてラッチボルトを錠箱内に引込ませる機構は、扉をラッチボルトを介して一時的に扉枠に係止する必要があり、この場合ラッチボルトの先端のラッチヘッドにストライク板からの側圧がかかるので、ハンドル操作に少し抵抗がある、換言すればハンドル操作が円滑ではない、という不都合もある。
【００１１】
そこで、この発明は、上記した種々の不都合を解消し、使い勝手が良く、構造が簡単であり、しかも作動が円滑な扉のハンドル装置を提供することを目的としている。
【００１２】
【課題を解決するための手段】
上記の目的を達成するため、この発明は、扉の自由側端縁付近において扉面とほぼ平行で鉛直方向に延在するハンドルの一端を、ラッチボルトを支持する錠箱に見付け方向において重合するように配設すると共に、ハンドルの一端部を扉面に装着された中空の第１支持座に、他端部を第２支持座に、夫々ハンドル全体が鉛直方向に移動できるように支持、案内し、一方、ハンドルの一端の扉面に対向する部分に扉面に垂直な作動片を固定し、この作動片を扉面に装着された第１支持座、扉面及び錠箱の側面を貫通させて錠箱内のラッチボルト操作機構に連係させると共に、ハンドル全体を上方又は下方に付勢し、扉開閉時、ハンドルを下方又は上方に動かすことにより、ハンドルの一端に固定された作動片を介して錠箱内のラッチボルトを制御するようにしたことを特徴とする。
【００１３】
【実施例】
以下この発明の実施例を図面を参照して説明する。
図１において符号１は室外側のハンドルを示し、このハンドル１は扉の自由側端縁付近の内面において、扉２の内面又は外面（図２に示すものは外面）にほぼ平行で鉛直方向に延在する棒状体である。
【００１４】
なお、この発明は、図示の実施例のように直線的な棒状のハンドルのみならず、細長い板状のハンドル、或いは任意の断面形状のハンドル、又は全体が少し湾曲したハンドル、等種々の形状のハンドルに適用できる。
【００１５】
そして、この発明による扉のハンドル装置の作動を先に述べれば、例えばハンドル１の一端部（上端部）を軽く握って一端が矢印Ａ方向（下方）に引くことによりラッチボルトを錠箱内に引込ませ、ハンドルをその作動位置に置いた状態で例えばハンドルを引いて扉２を開いて室内に入る。
【００１６】
ラッチボルトを扉枠のストライク板から抜き外し、扉を少しでも開いた後は、ハンドルを作動位置に拘束する必要はない。
【００１７】
図示の実施例におけるハンドル１は、図２に示すように、横断面形状が円形のパイプであり、その一端（上端）が、扉２の自由側端縁部に埋設され、図示しないラッチボルトを支持する錠箱３と扉２の見付け方向（図２で紙面方向）において重合するように配設されている。
【００１８】
このハンドル１の一端部は第１支持座４に、他端部（下端部）は第２支持座５に、夫々鉛直方向に移動できるように支持、案内されている。
【００１９】
図示の実施例における各支持座４（５）は、扉面に近い方から順に、扉面に装着される基盤６、横断面形状が細長い小判形の連結部７及びカップ状の案内筒部８を一体に結合したものである。
【００２０】
上記案内筒部８は、第１支持座４のそれは開口を下向きにし、第２支持座５においては開口を上向きにしてあるのは図２に示すとおりである。
【００２１】
また、少なくとも第１支持座４における連結部７は、図２及び図３に示すように中空になっており、後述する作動片を通すことができるように構成されている。
【００２２】
一方、図２に示すように、ハンドル１の上端開口には、大径部がハンドル１の外径と同径の段付の連結プラグ９の小径部が圧入、焼嵌め或いはねじ止め等の結合手段により嵌着され、このようにしてハンドル１の上端に連結プラグ９が装着されている。
【００２３】
この連結プラグ９の上部には、図２及び図４に示すように、その中心軸を含むスリワリ１１が形成されており、このスリワリ１１の上部はねじ止めされた横長の蓋板１２により閉塞されている。
【００２４】
したがって、連結プラグ９の大径部のほぼ中央には、これを水平に貫通する横断面形状が細長い小矩形のスリット１３（図２参照）が形成される。
【００２５】
このスリット１３に、図２及び図５に示すように、横断面形状がスリット１３のそれと同等かそれよりも小さい細長い作動片１４が扉面側から挿入され、その内端のピン孔１５（図５参照）に係止ピン１６を不可逆的に挿入することによりハンドル１の上端に作動片１４を固定する。
【００２６】
上記係止ピン１６を収納するため、図２及び図５に示すように、スリット１３の中央を垂直に貫通する付番しない係止ピン軸に沿って盲穴としてのピン孔１７とこれよりも大径の雌ねじ孔１８とが連設されている。
【００２７】
そして、この雌ねじ孔１８を通してピン孔１７に挿入された圧縮コイルばねとしてのピンばね１９の弾力によって、係止ピン１６がピン孔１７から抜け出ることを防止するため、雌ねじ孔１８に螺入されたセットビス２１の先端により、係止ピン１６を所定の位置に拘束する。
【００２８】
なお、図５に示すように、係止ピン１６のセットビス２１に対向する側の外端は低い円錐形に成形されており、これに対応して、作動片１４の先端は斜めに削がれている。
【００２９】
上記した構成により、作動片１４を扉面側からスリット１３に挿入するだけで、作動片１４の先端と係止ピン１６の外端との間に生じる楔作用により、係止ピン１６の外端が作動片１４の先端の傾斜面に乗り上がり、係止ピン１６と作動片のピン孔１５とが整合するに致って自動的に係止ピンがピン孔１５に投入され、この用にして作動片１４がハンドル１の上端に不可逆的に固定される。
【００３０】
なお、作動片をハンドル１の上端に固定するには、上記した結合手段に限定されることなく、例えば作動片１４の横断面形状をスリット１３のそれより大きくして作動片をスリットに打込むとか、或いは接着剤によって固定する、等の結合手段を採ることができる。
【００３１】
一方、図２に示すように、ハンドル１の下端の開口には、例えば圧入により、フランジ付カップ状のばね筒２２がカップの開口を下向きにして装着されている。
【００３２】
そして、このばね筒２２と第２支持座の案内筒部８の底面との間に弾装された圧縮コイルばねとしてのハンドルばね２３の弾力により、ハンドル１は全体として上方に付勢され、そのため連結プラグ９の上端が第１支持座の案内筒部８の底面（天井面）に弾接されている。
【００３３】
上記のように構成された室外側の扉のハンドル装置と同様の構成のハンドル装置を室内側にも設け、これらを連結ねじ２４、２４（図２参照）で相互に連結すると共に扉面の内外に装着する。
【００３４】
そのため、外側の支持座の基盤６の扉面に接合する内面には盲穴としての雌ねじ孔を形成し（図示せず）、内側のそれには連結ねじが挿通する穴を開口させて、室内側からその穴に連結ねじ２４を挿通してねじ回すことにより、室外側の支持座を扉表面に呼びつけると共に、室内側のそれを扉内面に固定する。
【００３５】
このとき、錠箱の側面に開口させる作動片１４挿通用のスリット（図示せず）の幅を作動片の厚さと同程度とし、このスリットと作動片１４との係合によりハンドル１の回り止めを施すものとするが、この回り止めは他の手段、例えば案内筒部８の内周面の突起とハンドル１の外周面に形成された溝の係合によっても施すことができることは勿論である。
【００３６】
上記のように構成されたこの発明の一実施例による扉のハンドル装置は、ハンドル１に外力が作用しない常態においては、ハンドルばね２４の弾力により内外のハンドルの作動片１４は図２及び図３に実線で示す待機位置にあり、作動片１４はラッチボルト操作機構と係合していない。
【００３７】
なお、ここでラッチボルト操作機構とは、例えば通常の錠前におけるリトラクター等の機構、或いは力の方向を転換するレバー装置等をいうものとする。
【００３８】
なお、この発明は、図示の実施例に限定されることなく、種々に変形して実施することができる。
【００３９】
例えば、ハンドルばね２３を連結プラグ９の上方に弾装し、ハンドル１を上昇させることによりラッチボルトを錠箱に引込ませるように構成することもできる。
【００４０】
このときには、作動片１４の上昇によりラッチボルトを錠箱内に引込ませるように、上記ラッチボルト操作機構を設定すべきことは勿論である。
【００４１】
上記のように構成されたこの発明の一実施例による扉のハンドル装置は、図１で例えば外出から帰った家人がハンドル１を軽く握ってこれを矢印Ａ方向に少し下降させると、ハンドルの一端の作動片２６が図２で下方、図３に鎖線で示す作動位置方向に移動し、この移動の過程で錠箱内のラッチボルト操作機構を駆動し、ラッチボルトを錠箱内に引込ませる。
【００４２】
そこで、その状態でハンドル１を手前に引くと、扉は外側に開くから、適当な時期にハンドル１を自由にして、或いはハンドル１を作動位置に置いたまま手前に引けば扉口が開いて人の出入りが可能になる。
【００４３】
このとき、ハンドル１は全体として少し下方に移動するのみで、ハンドル１は扉面に対し見込み方向において不動であるから、ハンドルの操作そのものは従来のものと変らない。
【００４４】
扉を閉めるときには、ハンドル１を作動位置においても、待機位置においても、ラッチボルトの先端の斜面とストライク板との間の楔作用により、ラッチボルトは自動的にラッチボルト孔に投入される。
【００４５】
【発明の効果】
以上の説明から明らかなように、この発明は、ラッチボルトを引込ませる際鉛直に延在するハンドルを握って少し上下動させるようにしたので、ハンドルの押し引きの際ハンドルと扉面との間隔が従来のものと同様に変化せず、したがって使い勝手が良い。
【００４６】
また、ハンドルの両端を単に上下動可能に支承するだけで良いので、構造が非常に簡単になる。
【００４７】
更にまた、このハンドル装置の作動時ラッチボルトの先端に側圧がかからないので、作動が円滑である、等種々の効果を奏する。
【図面の簡単な説明】
【図１】この発明の一実施例による扉のハンドル装置を装着した扉の室外側からの線図的正面図。
【図２】扉のハンドル装置の一部断面側面図。
【図３】第２図のＩＩＩ−ＩＩＩ線による断面図。
【図４】図２のＩＶ−ＩＶ線から見た一部断面平面図。
【図５】図２のＶ−Ｖ線による拡大断面図。
【符号の説明】
１  ハンドル
２  扉
３  錠箱
４  第１支持座
５  第２支持座
６  基盤
７  連結部
８  案内筒部
１４  作動片
２３  ハンドルばね
【図１】
0004062651.tif 000002
【図２】
0004062651.tif 000003
【図３】
0004062651.tif 000004
【図４】
0004062651.tif 000005
【図５】
0004062651.tif 000006